(57)【要約】【課題】任意の方向に任意の力の締付力を容易に作用させることができるような着圧領域を備えた靴下および肌着を提供することを目的とする。【解決手段】外方から内方へ向けて押圧する着圧力を付与する着圧領域Ｈを備えた編み組織からなる靴下Ａであって、前記着圧領域Ｈが、伸縮糸を表面視多角形状１に地編み組織Ｇの中に編成することによって、実現されている。【選択図】図１
2018021281.tif 000002
【特許請求の範囲】
【請求項１】
外方から内方へ向けて押圧する着圧領域を備えた編み組織からなる靴下であって、前記着圧領域が、伸縮糸を表面視多角形状に地編み組織の中に形成された編地構造を有することを特徴とする靴下。
【請求項２】
前記多角形状が凸多角形の六角形状であることを特徴とする請求項１記載の靴下。
【請求項３】
前記六角形状が縦長又は横長の六角形状であることを特徴とする請求項２記載の靴下。
【請求項４】
前記靴下において、前記多角形状の枠内に、前記伸縮糸よりも伸縮度の低い編成糸で編成された剛性の高い編成領域が形成されていることを特徴とする請求項１〜３のいずれか１の項に記載の靴下。
【請求項５】
前記靴下において、前記多角形状の枠内に、熱硬化性の編糸で編成され且つ熱収縮状態の、剛性の高い編成領域を備えたことを特徴とする請求項１〜４のいずれか１の項に記載の靴下。
【請求項６】
前記靴下において、前記着圧領域が、靴下の足首部分に形成されていることを特徴とする請求項１〜５のいずれか１の項に記載の靴下。
【請求項７】
前記靴下において、前記着圧領域が、９ヘクトパスカル〜４０ヘクトパスカルの着圧力であることを特徴とする請求項１〜６のいずれか１の項に記載の靴下。
【発明の詳細な説明】
【技術分野】
【０００１】
この発明は、靴下に関し、特に編み組織に特徴を有する靴下に関する。  なお、この明細書および特許請求の範囲において「靴下」という文言は、足部の無いサポータ状の形態のものやスパッツと呼ばれる形態のものをも含む広い概念で使用する。  また、この明細書および特許請求の範囲において「靴下」とは、腕部や脚部等の弛みや出っ張りを矯正するサポータやレギンス等の肌着をも含む広い概念で使用する。
【背景技術】
【０００２】
従来から、下脚部（ふくらはぎ部分及びその前方部）等の一部に着圧領域を形成した靴下や肌着が提供されている（特許文献１参照）。
また、下脚部に、高締付力を付与する帯状のリング状部分と低締付力を付与する帯状のリング状部分とを交互に又はこれに類する形態で上下方向に配列して、運動の際にふくらはぎ部分の筋肉が変形することを利用して脚部の血液の循環を促進するようにした、靴下が提供されている（特許文献２参照）。
【０００３】
従来の、着圧領域として編み組織に特徴を有する靴下やふくらはぎ部分に特徴を有する靴下にかかる先行技術として、前記特許文献１および特許文献２に記載されているものがある。
【先行技術文献】
【特許文献】
【０００４】
【特許文献１】実開昭５７−３４５９２
【特許文献２】実開昭６１−８２９０７
【発明の概要】
【発明が解決しようとする課題】
【０００５】
ところが、前記特許文献１および特許文献２に記載するような靴下の着圧領域は、基本的に各編成コースを単位とするものであることから、任意の方向に任意の締付力を容易に付与することができるような着圧領域ではなかった。  
このため、前記靴下や前記肌着において、それらの特定の部位に適した方向と力の締付力を有する着圧領域を形成することは難しかった。
【０００６】
本発明は、このような状況に鑑みておこなわれたもので、任意の方向に任意の力の締付力を容易に作用させることができるような着圧領域を備えた靴下を提供することを目的とする。
【課題を解決するための手段】
【０００７】
本発明にかかる靴下は、外方から内方へ向けて押圧する着圧領域を備えた編み組織からなる靴下であって、前記着圧領域が、伸縮糸を表面視多角形状に地編み組織の中に編成されることによって、形成されていることを特徴とする。
【０００８】
前述のように構成された本発明にかかる靴下によれば、前記着圧領域を実現している前記多角形状の各辺の方向に作用する前記伸縮糸の収縮作用によって、編み組織が外方（靴下表面）から内方（靴下内方）へ向けて所望の収縮力を脚等の表面に及ぼして、当該靴下において必要とする方向（例えば、幅方向又は長手（編成）方向）に着圧力を付与することができる靴下を実現することができる。
かかる構成において、前記多角形状の大きさを靴下の各部位で変化させることによっても、各部位で収縮力の異なる靴下を実現することができる。  また、前記靴下の編成において前記伸縮糸の給糸時の張力を変化させる等すれば、あるいは張力の大きさの異なる伸縮糸を選択的に使用することによって、当該靴下において必要とする着圧力を備えた靴下を実現することができる。
【０００９】
前記靴下において、前記多角形状が凸多角形の六角形状であると、六角形状に編成した編み組織の、当該六角形状の各辺の方向に前記伸縮糸によってそれぞれ所望の収縮力を作用させて、つまり、編成に際し給糸時の張力を変化させる等して、当該靴下において必要とする方向（例えば、幅方向又は長手（編成）方向）に必要とする着圧力(収縮力)を備えた靴下を実現することができる。  かかる構成において、前記六角形状の大きさを靴下の各部位で変化させることによっても、各部位で収縮力の異なる靴下を実現することができる。また、六角形状の辺の方向や辺の長さを変えることによって、前記着圧力の方向を所望の方向にすることができる。
【００１０】
前記靴下において、前記六角形状が縦長又は横長の六角形状であると、縦方向と横方向において六角形の収縮長さが異なることから、当該六角形状の十時方向（縦横方向）において収縮力の異なる靴下を実現することができる。
【００１１】
前記靴下において、前記多角形状の枠内に、前記伸縮糸よりも伸縮度の低い編成糸で編成された剛性の高い編成領域が形成されていると、当該多角形状の枠内が剛性の高い編成領域となる。  例えば、前記剛性の高い領域を靴下の土踏まず部分に形成すると、足の土踏まず部位に靴下の土踏まず部分が密着したフィット感の高いスポーツ用等として適した靴下を実現することができる。
【００１２】
前記靴下において、前記多角形状の枠内に、熱硬化性の編糸で編成され且つ熱収縮状態の、剛性の高い編成領域が形成されていると、当該多角形状の枠内が剛性の高い編成領域となる。  例えば、前記剛性の高い領域を靴下の土踏まず部分に形成すると、足の土踏まず部位に靴下の土踏まず部分が密着したフィット感の高いスポーツ用等として適した靴下を実現することができる。
【００１３】
前記靴下において、前記着圧領域が、靴下の足首部分に形成されていると、足首部分を着圧力によって保護することができ、ホールド感の強い靴下を実現することができる。  かかる靴下は、バスケットボールやテニス等のスポーツ用靴下として好ましい靴下となる。
【００１４】
前記靴下において、前記着圧領域の着圧力が、９ヘクトパスカル〜４０ヘクトパスカルの着圧力であると、前記作用効果を奏させるのに好ましい構成となる。  特に、前記着圧力が１０ヘクトパスカル〜３５ヘクトパスカル程度の着圧力であるとより好ましい。
【発明の効果】
【００１５】
本発明によると、任意の方向に任意の力の締付力を容易に作用させることができる着圧領域を備えた、靴下を提供することができる。
【図面の簡単な説明】
【００１６】
【図１】本発明の１つの実施形態にかかる靴下をやや斜め前方且つ上方から見た全体斜視図である。
【図２】図１に示す靴下を正面且つやや上方から見た正面図である。
【図３】図１，図２に示す靴下を畳んだ状態で見た図である。
【図４】（ａ）〜（ｃ）は靴下の地編み組織中に編成される多角形状（六角形状）の実施形態を表した部分拡大図であり、（ｄ）は正六角形状の編み組織に作用する収縮力の方向を示す図である。
【図５】（ａ）〜（ｅ）は靴下の地編み組織中に編成される多角形状の異なる実施形態を表した部分拡大図である。
【発明を実施するための形態】
【００１７】
以下、本発明の実施形態にかかる靴下を、図面を参照しながら具体的に説明する。
【００１８】
図１〜図３において、Ａは靴下で、この実施形態にかかる靴下Ａは、かかる靴下Ａにおいて外方から内方へ向けて押圧する着圧領域Ｈを備えた編み組織からなる靴下Ａであって、前記着圧領域Ｈが、伸縮糸５（図４参照）を表面視が多角形状１、この実施形態では表面視が正六角形状１Ａに、地編み組織Ｇ中に編成することによって実現されている。なお、この実施形態にかかる多角形状１は、凸多角形状となっている。
この実施形態にかかる靴下Ａでは、前記地編み組織Ｇとして、メリヤス編みが採用されている。  しかし、地編み組織として、メリヤス編みに限定されるものでなく、メリヤス編以外の編み組織であってもよい。
【００１９】
この実施形態にかかる靴下Ａは、足の先端（爪先）から足首部位の上方部位までを外被するべく編糸で編成されている。  そして、図１〜図３に示す如く、本靴下Ａの踵部分ｂ を立体的に周囲から囲むような領域で、前記着圧領域Ｈが形成されている。  つまり、この実施形態では、前記着圧領域Ｈは、足首部分の周囲（外と内のくるぶし部分）、および足の両側部と足裏部分を、覆うように形成されている。  そして、前記靴下Ａの着圧領域Ｈにおいては、外方から内方へ即ち靴下Ａの着圧領域Ｈから当該靴下Ａへ収容された足側に向けて所望の着圧力で押圧するよう構成されている。
しかし、前記着圧領域Ｈは、必要に応じて、靴下Ａの任意の部分、例えば、足首部分にのみ形成してもよく、あるいはふくらはぎ部分のみに、又は足の甲の一部のみに形成してもよい。  また、本発明が対象とする靴下の形態としては、足の部分の無い、即ち脚の部分のみ外被するべく編糸で編成されているような形態（サポータのような形態）の靴下であってもよい。  あるいは、腕部や脚部等の弛みや出っ張りを矯正するサポータであっても、レギンス等の肌着であってもよい。
【００２０】
ところで、前記着圧領域Ｈは、伸縮糸を表面視が多角形状１に地編み組織Ｇ中に張力を付与した状態（あるいは別の実施形態としては張力を付与しない状態）で編成することによって形成されている。なお、前記「張力を付与しない状態」で編成した場合も、足のサイズより小さいサイズの靴下Ａを履くことによって、前記着圧力が作用する。
本実施形態の場合、前記多角形状１として六角形状１Ａが採用されている。このように六角形状１Ａにすると、隣接する多角形状１（六角形状１Ａ）同士が密着した状態を呈するように形成することができる。
【００２１】
また、この実施形態では、前記着圧領域Ｈの着圧力をより大きくするため、前記多角形状１の枠内１ａにも、図５（ａ），（ｂ），（ｄ）に図示の通り、着圧力をより大きくするために、張力を付与した伸縮糸で「ニ」の字状(図５（ｂ）参照)やアスタリスク形状(図５（ａ）参照)やクロス形状(図５（ｄ）参照)、あるいは図示しないが他の形状等を形成するように編成してもよい。  さらには、着圧力をさらに大きくするため、図５（ｄ）に図示するように、多角形状１を二重線状に、又は図示しないが多重線状に形成してもよい。
また、前記多角形状１の枠内１ａに、伸縮度の低い編成糸で編成した編成領域を設けると、あるいは熱硬化性の編糸を用いて編成した後ヒート処理した領域を設けると、当該多角形状の枠内１ａが剛性の高い編成領域となる。  例えば、前記剛性の高い領域を靴下Ａの土踏まず部分ｅ  (図３参照)に形成すると、アーチ状になっている足の土踏まず部位に、前記靴下Ａの土踏まず部分ｅが密着した、フィット感の高い、スポーツ用等として適した靴下を実現することができる。上記の通り土踏まず部分ｅの剛性を上げ土踏まず部分ｅの形状の維持性を高めても、土踏まず部分ｅに連続する土踏まず部分ｅ以外の圧着領域Ｈの伸縮性にて、土踏まず部分ｅに高い密着性を確保できるのである。
【００２２】
また、前記六角形状１Ａは、図１，図２あるいは図４（ａ）に図示するような正六角形状でなく、図４（ｂ）や図４（ｃ）に図示するような、横長あるいは縦長の六角形状にしてもよい。  正六角形状にするか、横長あるいは縦長の六角形状にするかは、その靴下の所望する張力（収縮力）の方向や張力の大きさによって決定される。  また、同様に、その靴下Ａの所望する張力によって、前記六角形状１Ａの大きさも決定される。  さらには、得ようとする所望の張力によって、前記伸縮糸５の太さやその弾性力あるいは編成時の給糸の張力の状態が決定される。
そして、靴下Ａの各部位によって、例えば、土踏まず部分ｅや足首部分ｍ等によって、あるいはふくらはぎ部分fやその前方部分ｋによって、前記張力（収縮力）を変化させてもよい。
また、前記多角形状１としては、前記六角形状１Ａに限定されるものでなく、図５（ａ）に示すように、八角形状１Ｄであっても、あるいは図５（ｂ），図５（ｃ）に図示するように、三角形状１Ｂあるいは五角形状１Ｃであってもよく、あるいは図５（ｅ）に示す四角形状１Ｆや、図示しないがその他の多角形状であってもよい。  どのような多角形状１にするかは、得ようとする張力の方向等によって、適宜選択される。
また、靴下Ａの部位によって、必要とする着圧力の方向に起因して、前記多角形状１の方向を変えてもよい。
【００２３】
そして、靴下Ａの任意の部位の地編み組織（この実施形態ではメリヤス編）Ｇの中に、前記伸縮糸５で多角形状１を形成するように編み針（図示せず）に給糸して編成することによって、図４（ｄ）に図示するように、当該多角形状１の各辺の方向に所望の収縮力Ｙが発生する。  換言すると、これら各辺の方向の収縮力Ｙの図心方向の合成された力（収縮力）Ｚが発生する。例えば、正六角形や正八角形であれば、図心方向に作用する収縮力Ｚとなる。  このため、当該靴下Ａの着圧領域Ｈにおいて収縮力が作用するような靴下、つまり、着圧力を備えた靴下を実現することができる。  この結果、必要とする方向、例えば、靴下Ａの幅方向又は長手（編成）方向に、必要とする収縮力の着圧力を備えた、靴下を実現することができる。  かかる構成において、前記多角形状１の大きさを靴下の各部位で変化させることによって、各部位で収縮力の異なるような靴下を実現することもできる。
【００２４】
また、前記着圧領域Ｈを、靴下Ａのふくらはぎ部分f（図３参照）に形成すると、かかる構成の靴下を履いて歩行や走行等すると、ふくらはぎ部分fでは、外方から内方へ向けて着圧力が作用して、靴下を履いている間、脚の腓腹筋やひらめ筋を外方から押圧する。  このため、歩行したときに屈伸する筋力が脚の長手方向に効果的に作用する。  この結果、ふくらはぎ部分に生じる血管のポンプ作用により脚の血流が良くなり、疲れ難く、脚が軽くなったような感覚を覚える。  また、靴下Ａの前記ふくらはぎ部分f以外、例えば脚の前方部位ｋや側方部位に非着圧領域を形成すれば、つまり、脚の前方部位ｋや側方部位等では、前記着圧力が作用しないため、これらの部位では血行が無用に阻害されることがない。  このため、長時間にわたってこのような構成の靴下Ａを履いても、血流が良好な状態となり、疲労が生じ難く且つ下脚部に「むくみ」が格段に生じ難くなる。
また、このような構成の靴下Ａを履いている状態では、前述のように脚のふくらはぎ部位の少なくとも一部が着圧領域Ｈによって外方から押圧されているため、当該押圧されている方向と直交する方向から見ると外観的にスリムに見せることができる。
【００２５】
また、前記ふくらはぎ部分fから足首部分ｍの具体的な着圧力に関しては、例えば、通常の歩行用の靴下では、これらの着圧領域Ｈでは９ヘクトパスカル〜２５ヘクトパスカル程度、特に１１ヘクトパスカル〜２２ヘクトパスカル程度の着圧力が作用するように構成することが好ましい。  また、ジョギング用の靴下では、前記ふくらはぎ部分fから足首部分ｍの着圧領域Ｈでは１２ヘクトパスカル〜１７ヘクトパスカル程度、特に１３ヘクトパスカル〜１６ヘクトパスカル程度の着圧力が作用するよう構成することが好ましい。  また、サッカーやバスケットボール等のスポーツ用の靴下では、前記ふくらはぎ部分fから足首部分ｍの着圧領域Ｈでは１８ヘクトパスカル〜２４ヘクトパスカル程度、特に１９ヘクトパスカル〜２２ヘクトパスカル程度の着圧力が作用するよう構成することが好ましい。  また、前記いずれの用途の靴下においても、前記土踏まず部分eの着圧力は、３０ヘクトパスカル〜４０ヘクトパスカル程度、特に３３ヘクトパスカル〜３７ヘクトパスカル程度の着圧力が作用するよう構成することが好ましい。
【００２６】
そして、前述のように構成された本発明の実施形態にかかる靴下Ａの場合、前述のように構成されることによって、以下のような作用効果を奏することができる。
すなわち、前述のように構成された本実施形態にかかる靴下Ａによれば、前記着圧領域Ｈを実現している前記多角形状１の各辺の方向に作用する前記伸縮糸５の収縮作用によって、伸縮糸５による編み組織が外方から内方へ向けて所望の収縮力（着圧力）を脚等の表面に及ぼして、当該靴下Ａにおいて必要とする方向（例えば、幅方向又は長手（編成）方向）に所望の着圧力を付与することができる靴下を実現することができる。
そして、かかる構成において、前記多角形状１の大きさを靴下Ａの各部位で変化させれば、各部位で収縮力の異なる靴下を実現することができる。
また、前記靴下Ａの編成において前記伸縮糸５の給糸時の張力を変化させる等すれば、あるいは張力の大きさの異なる伸縮糸５を選択的に使用することによって、当該靴下において必要とする着圧力を備えた靴下を実現することができる。
【００２７】
ところで、前記実施形態では「多角形状」が凸多角形状のものについて説明したが、凸多角形状に限定されるものでない。  つまり、図４（ｂ）の左側部分に二点鎖線で図示するように、左側の上下方向に延びる辺に代えて、伸縮糸５ｓで凹状の角部を有する二つの辺（二点鎖線５ｓの部分参照）を備えた、凹多角形状（凹七角形状）に構成とすると、かかる凹多角形状は全体として左側に張力が作用する着圧領域となる。従って、例えば、靴下の両側端部に、靴下の底部の幅方向中心部に対して対称的に凹部が位置する凹多角形状のものを配置した構成とすると、靴下の底部で両側に張力（あるいは負の張力）が作用するような靴下を実現することができる。  このように本発明は、種々の数多くの実施形態が考えられる。
【００２８】
前記実施形態は単なる１つの実施形態であって、本発明の技術的思想を逸脱しない範囲で、種々の形態で実施できることは言うまでもない。
【産業上の利用可能性】
【００２９】
本発明にかかる靴下は、靴下の産業分野において利用することができる。
【符号の説明】
【００３０】
Ａ …靴下
Ｈ  …着圧領域
Ｇ  …地編み組織
１  …多角形状
１Ａ…六角形状（多角形状）
１ａ…六角形状の枠内
【図１】
2018021281.tif 000003
【図２】
2018021281.tif 000004
【図３】
2018021281.tif 000005
【図４】
2018021281.tif 000006
【図５】
2018021281.tif 000007
【手続補正書】
【提出日】平成29年10月16日(2017.10.16)
【手続補正１】
【補正対象書類名】特許請求の範囲
【補正対象項目名】全文
【補正方法】変更
【補正の内容】
【特許請求の範囲】
【請求項１】
外方から内方へ向けて押圧する着圧領域を備えた編み組織からなる靴下であって、前記着圧領域が、伸縮糸を表面視多角形状に地編み組織の中に形成された編地構造を有するものであり、前記多角形状が凸多角形の六角形状であることを特徴とする靴下。
【請求項２】
前記六角形状が縦長又は横長の六角形状であることを特徴とする請求項１記載の靴下。
【請求項３】
前記靴下において、前記多角形状の枠内に、前記伸縮糸よりも伸縮度の低い編成糸で編成された剛性の高い編成領域が形成されていることを特徴とする請求項１又は２に記載の靴下。
【請求項４】
前記靴下において、前記多角形状の枠内に、熱硬化性の編糸で編成され且つ熱収縮状態の、剛性の高い編成領域を備えたことを特徴とする請求項１〜３のいずれか１の項に記載の靴下。
【請求項５】
前記靴下において、前記着圧領域が、靴下の足首部分に形成されていることを特徴とする請求項１〜４のいずれか１の項に記載の靴下。
【請求項６】
前記靴下において、前記着圧領域が、９ヘクトパスカル〜４０ヘクトパスカルの着圧力であることを特徴とする請求項１〜５のいずれか１の項に記載の靴下。